(57)【要約】【解決すべき課題】薬効成分によらず、物理的作用によって血管細胞等を活性化し、持続的に血行促進効果が得られるようになした血行促進粘着シートを提供する。【課題を解決するための手段】織布、不織布、紙、あるいは合成樹脂シート等よりなるベースシート１のいずれか一方の面に、放射性核種を含有する天然鉱石を微粉末状となしたパウダーを配合してなる粘着剤２を薄い層状ないし点在状をなすように形成し、且つ当該粘着剤層２の表面に剥離紙３を貼付して構成した。【選択図】図１
2005095473.tif 000002
【特許請求の範囲】
【請求項１】
織布、不織布、紙、あるいは合成樹脂シートよりなるベースシートのいずれか一方の面に、放射性核種を含有する天然鉱石を微粉末状となしたパウダーを配合してなる粘着剤を薄い層状ないし点在状をなすように形成し、且つ当該粘着剤層の表面に剥離紙を貼付してなることを特徴とする血行促進粘着シート。
【発明の詳細な説明】
【技術分野】
【０００１】
本発明は足の裏や、ひじ、ひざの周囲、肩、腰等人体の患部に貼付して血行を促進する血行促進粘着シートに関する。
【背景技術】
【０００２】
サリチル酸メチル、メントールのような薬効成分を粘着剤の中に練り混んで、これを薄い基布の表面に塗布した所謂膏薬が一般に用いられている。また、木酢液を蒸留して得られた留分を噴霧乾燥、凍結乾燥等によって粉末化したものを袋状シート内に充填して構成した血行促進用貼付シートが下記特許文献に開示されている。
【特許文献１】特開２００１−３１５８４号公報
【発明の開示】
【発明が解決しようとする課題】
【０００３】
上記したように薬効成分を練り込んだ粘着剤を薄い層状をなすように基布の表面に塗布したものや、木酢液に由来する効能を応用した貼付シート類は既に知られている。しかしながら、これら従来の膏薬や、血行促進用貼付シートを用いたとしても、効能に持続性がなく比較的短時間で効果が薄れるという問題点があり、満足し得る充分な血行促進効果は期待できなかった。
【０００４】
本発明者は、トリウム鉱石、アクチニウム鉱石、ウラン鉱石のような放射性核種を含有する天然鉱石を微粉末状にして、これをアクリル系、シリコン系等からなる感圧性粘着剤中に配合し、当該粘着剤を薄い層状をなすようにベースシートの表面に塗布してなる粘着シートを作成して、これを患部に貼付したところ、卓越した血行促進効果が認められ、肩凝りや、寝違い、腰痛、ひざ痛等に著効が認められ、しかも従来より長時間にわたって効用が持続することを見いだし本発明を完成するに到った。
【０００５】
したがって、本発明は持続性を持った血行促進効果が得られる血行促進粘着シートを提供することを目的とするものである。
【課題を解決するための手段】
【０００６】
上記目的を達成するための本発明の構成を詳述すれば、織布、不織布、紙、あるいは合成樹脂シートよりなるベースシートのいずれか一方の面に、放射性核種を含有する天然鉱石を微粉末状となしたパウダーを配合してなる粘着剤を薄い層状ないし点在状をなすように形成し、且つ当該粘着剤層の表面に剥離紙を貼付してなることを特徴とする血行促進粘着シートである。
【０００７】
本発明血行促進粘着シートの使用にあたっては、粘着層表面の剥離紙を取り除いて、従来と同様に粘着層を患部にあてがい貼付するものであり、サリチル酸メチル、メントール、あるいは木酢液由来の成分を利用した従来の粘着シートと異なって、効果に持続性があり、極端な場合、ベースシート類が耐水性、耐熱性、耐候性、耐油性等の条件を満たすものであれば、１〜２週間にわたる継続使用が可能となるものである。
【０００８】
放射性核種を含有する天然鉱石としては、トリウム鉱石、アクチニウム鉱石及びウラン鉱石が好適であり、これらは単独で使用するようにしてもよいし、あるいは二種以上を複合させて用いるようにしてもよい。これら放射性核種はアクリル系、ゴム系、シリコン系等からなる感圧性粘着剤中に練り混むものであるため、均等に分散するようその平均粒径は１〜４０μｍ程度とするのが良く、特に好ましくは３〜２５μｍの平均粒径をもった放射性核種が良好に粘着剤中に分散する。
【０００９】
パウダー状となした放射性核種を含有する天然鉱石を一定割合にて粘着剤中に配合して練り込み、これを薄い層状をなすようにベースシートの表面に塗布した粘着シートを腰痛等の患部部位に貼付した場合、血流が改善されて症状が軽減される理由は、本発明者による実験によれば、粘着剤中に配合してある放射性核種に起因する放射線ホルミシスによる血管細胞の活性化によるものと考えられる。  
【００１０】
なお、本発明による副次的作用として消臭効果が得られ、患部部位からの発汗に基づく体臭を除去することができるが、これは放射性核種より発生するマイナスイオン並びにプラスイオンによる消臭作用によるものと考えられる。
【００１１】
放射性核種を含有する天然鉱石を微粉末状となしたパウダーを配合する粘着剤は特に限定されず、従来より各種粘着テープ類に用いられているアクリル系、ゴム系、シリコン系等の感圧性粘着剤が好適に用いられるが、耐熱性の点からはシリコン系感圧性粘着剤が特に好ましい。当該粘着剤に対する放射性核種を含有する天然鉱石パウダーの配合割合は、粘着剤１００重量％に対し、３〜２０重量％が好ましく、３重量％未満では所期する血流改善効果が得られない。また、２０重量％以上を配合してもそれに比例するように血行促進効果の向上は望めず、逆に粘着性の低下によって患部部位からの脱離現象が生ずるおそれがある。
したがって、上限値としては２０重量％未満で充分である。
【００１２】
織布、不織布、紙、あるいは合成樹脂シート等よりなるベースシートの表面に形成する粘着剤層の厚さは適宜設定することができるが、通常は１０〜３００μｍである。また、粘着剤層はベースシートのいずれか一方の面に均一に塗布形成するようにしてもよいし、場合によっては表面が微小凹凸状を呈するように点在状に形成してもよい。さらにはベースシートの表面に網目状ないし筋状をなすように放射性核種パウダーを配合した粘着剤を塗布形成するようにしてもよいのは勿論であり、これらの変更例も本発明の範囲に含まれるのは云うまでもない。
【発明の効果】
【００１３】
本発明血行促進粘着シートを腰痛、肩凝り、五十肩、ひざ痛、偏頭痛等の患部部位、さらに足の裏に貼付したところ、約５０分後には血行促進効果が認められ、腰痛や、ひざ痛等が軽減された。また、この効果は従来より長時間にわたって認められたが、これは従来の薬効成分を用いた貼付シートと異なり、天然鉱石に含有される放射性核種の物理的作用に起因するからである。さらに、前記したように本発明血行促進粘着シートの貼付部位周辺の体臭を抑えることができる。
【発明を実施するための最良の形態】
【００１４】
以下、本発明血行促進粘着シートの実施形態の一例を詳細に説明する。
図１は本発明血行促進粘着シートの一実施形態を示す拡大部分断面図、図２は本発明血行促進粘着シートを手の甲に貼付したときの手の周辺の温度分布を示すサーモグラフィ、図３は手の甲に貼付してから約４８分後の同一箇所の温度分布を示すサーモグラフィである。
【００１５】
図中１は耐水性、耐熱性、耐候性等に優れた効果を示現する合成樹脂繊維を素材としたベースシートであり、２は当該ベースシート１の表面に薄い層状をなすように塗布形成した粘着剤層である。３はこの粘着剤層２の表面に容易に取り去ることができるように貼付した剥離紙である。
【００１６】
前記粘着剤層２はアクリル系粘着剤１００重量％に対し、６μｍの平均粒径を有するトリウム系放射性核種を含有する天然鉱石パウダーを１２重量％配合して調製した。なお、粘着剤層２の厚さは５０μｍとなるように塗布形成した。
【００１７】
５０ｍｍ×７０ｍｍの矩形状に細断した本発明血行促進粘着シートを、衣類の表面温度３０．０℃の雰囲気中において被験者の左手甲部分に貼付して実験を開始した。図２は当該貼付したときの両手周辺の温度分布を撮影したサーモグラフィであり、両手共、被験者の通常の温度分布を示している。実験開始から約４８分後に同一箇所を撮影したものが図２に示すサーモグラフィであり、貼付した左手甲部及び左腕のみならず右腕、右手についても著しい体温上昇が認められた。
【図面の簡単な説明】
【００１８】
【図１】本発明本発明血行促進粘着シートの一実施形態を示す拡大部分断面図である。
【図２】本発明血行促進粘着シートを手の甲に貼付したときの手の周辺の温度分布を示すサーモグラフィである。
【図３】手の甲に貼付してから約４８分後の同一箇所の温度分布を示すサーモグラフィである。
【符号の説明】
【００１９】
１：ベースシート
２：粘着剤層
３：剥離紙
【図１】
2005095473.tif 000003
【図２】
2005095473.tif 000004
【図３】
2005095473.tif 000005